(57)【要約】【課題】  災害時でも携帯端末からサーバーへの情報送信が行える情報送信システム。【解決手段】  情報送信システムは、携帯端末情報を送信する第１携帯端末と、第１携帯端末から送信された携帯端末情報を第２携帯端末に送信するサーバーとを備える。第１携帯端末からの携帯端末情報は、第１携帯端末の位置情報を含み、サーバーは、災害情報を第１携帯端末に送信するものであり、サーバーが災害情報のうち規模が所定の規模以上の災害に関する情報を含む第１災害情報を送信してから第１期間の間、サーバーは、ＵＤＰを介して、携帯端末情報を受信し、第１期間が終了してから次の第１期間が開始されるまでの期間を示す第２期間の間、サーバーは、ＴＣＰを介して、携帯端末情報を受信し、第１期間の間に、第１携帯端末からサーバーに携帯端末情報を送信する場合、携帯端末情報のうち位置情報や文字データの送信は、少なくとも２回行われる。【選択図】図２８
2019216473.tif 000002
【特許請求の範囲】
【請求項１】
携帯端末情報を送信する第１携帯端末と、
前記第１携帯端末から送信された前記携帯端末情報を第２携帯端末に送信するサーバーとを備え、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータを構成する複数のパケットの１パケットあたりの大きさは、前記第２期間の間に前記第１携帯端末から前記サーバーに送信されるデータを構成する複数のパケットの１パケットあたりの大きさよりも小さいことを特徴とする情報送信システム。
【請求項２】
前記携帯端末情報は、画像データと音声データの少なくとも一方を含むことを特徴とする請求項１に記載の情報送信システム。
【請求項３】
前記特定の情報は、規模が所定の規模以上の災害に関する情報であることを特徴とする請求項２に記載の情報送信システム。
【請求項４】
前記第１期間の間に前記第１携帯端末から前記サーバーに送信される画像データや音声データを構成する複数のパケットは、所定時間の時間間隔を空けて送信されることを特徴とする請求項２または請求項３に記載の情報送信システム。
【請求項５】
前記第１期間の間に前記第１携帯端末から前記サーバーに送信される画像データは、色ごとに異なるパケットに分けた状態で、送信されることを特徴とする請求項２から請求項４のいずれかに記載の情報送信システム。
【請求項６】
前記第１期間の間に前記第１携帯端末から前記サーバーに送信された画像データに対応する画像は、前記第２携帯端末において白黒で表示されることを特徴とする請求項５に記載の情報送信システム。
【請求項７】
前記第１期間は、前記サーバーが前記特定の情報を前記第１携帯端末や前記第２携帯端末に送信した時点から、所定の時間が経過するまで、若しくは前記サーバーが前記特定の情報に対応するキャンセル情報を前記第１携帯端末や前記第２携帯端末に送信するまでの間であることを特徴とする請求項１に記載の情報送信システム。
【請求項８】
前記第２携帯端末は、ＵＤＰを介して、前記サーバーが前記第１携帯端末から受信した前記携帯端末情報について、ＵＤＰを介して前記サーバーが受信したものである旨を表記した状態で、表示することを特徴する請求項１に記載の情報送信システム。
【請求項９】
第１携帯端末からサーバーに携帯端末情報を送信する第１ステップと、
前記第１携帯端末から送信された前記携帯端末情報を前記サーバーから第２携帯端末に送信する第２ステップとを備え、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータを構成する複数のパケットの１パケットあたりの大きさは、前記第２期間の間に前記第１携帯端末から前記サーバーに送信されるデータを構成する複数のパケットの１パケットあたりの大きさよりも小さいことを特徴とする情報送信方法。
【請求項１０】
第１携帯端末からサーバーに携帯端末情報を送信する第１ステップと、
前記第１携帯端末から送信された前記携帯端末情報を前記サーバーから第２携帯端末に送信させる第２ステップとを実行する情報送信プログラムであって、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータを構成する複数のパケットの１パケットあたりの大きさは、前記第２期間の間に前記第１携帯端末から前記サーバーに送信されるデータを構成する複数のパケットの１パケットあたりの大きさよりも小さいことを特徴とする情報送信プログラム。
【請求項１１】
第１携帯端末から送信された携帯端末情報を第２携帯端末に送信するサーバーであって、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータを構成する複数のパケットの１パケットあたりの大きさは、前記第２期間の間に前記第１携帯端末から前記サーバーに送信されるデータを構成する複数のパケットの１パケットあたりの大きさよりも小さいことを特徴とするサーバー。
【請求項１２】
携帯端末情報をサーバーに送信する携帯端末であって、
前記サーバーは、前記携帯端末情報を別の携帯端末に送信するものであり、
前記サーバーは、特定の情報を前記携帯端末や前記別の携帯端末に送信するものであり、
前記サーバーが前記特定の情報を送信してから第１期間の間、前記携帯端末は、ＵＤＰ（User Datagram Protocol）を介して、前記携帯端末情報を前記サーバーに送信し、
前記第１期間が終了してから次の第１期間が開始されるまでの期間を示す第２期間の間、前記携帯端末は、ＴＣＰ（Transmission Control Protocol）を介して、前記携帯端末情報を前記サーバーに送信し、
前記携帯端末情報として、前記第１期間の間に前記第１携帯端末から前記サーバーに送信されるデータを構成する複数のパケットの１パケットあたりの大きさは、前記第２期間の間に前記第１携帯端末から前記サーバーに送信されるデータを構成する複数のパケットの１パケットあたりの大きさよりも小さいことを特徴とする携帯端末。
【請求項１３】
第１携帯端末からサーバーに携帯端末情報を送信する第１ステップと、
前記第１携帯端末から送信された前記携帯端末情報を前記サーバーから第２携帯端末に送信させる第２ステップとを実行する情報送信プログラムであって、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータを構成する複数のパケットは、所定時間の時間間隔を空けて送信されることを特徴とする情報送信プログラム。
【請求項１４】
第１携帯端末からサーバーに携帯端末情報を送信する第１ステップと、
前記第１携帯端末から送信された前記携帯端末情報を前記サーバーから第２携帯端末に送信させる第２ステップとを実行する情報送信プログラムであって、
前記サーバーは、特定の情報を前記第１携帯端末や前記第２携帯端末に送信するものであり、
前記サーバーが前記特定の情報を送信してから第１期間の間、前記サーバーは、ＵＤＰ（User Datagram Protocol）を介して、前記携帯端末情報を受信し、
前記第１期間が終了してから次の第１期間が開始されるまでの期間を示す第２期間の間、前記サーバーは、ＴＣＰ（Transmission Control Protocol）を介して、前記携帯端末情報を受信し、
前記携帯端末情報として、前記第１期間の間に前記第１携帯端末から前記サーバーに送信されるデータは、色ごとに異なるパケットに分けた状態で、送信されることを特徴とする情報送信プログラム。
【発明の詳細な説明】
【技術分野】
【０００１】
本発明は、携帯端末からサーバーを介して当該携帯端末と別の携帯端末に位置情報などを送信する情報送信システムなどに関する。
【背景技術】
【０００２】
特許文献１などで、携帯端末に、当該携帯端末と別の携帯端末の位置情報を開示する位置情報システムが提案されている。
【先行技術文献】
【特許文献】
【０００３】
【特許文献１】特開２００９−１６５０９１号公報
【発明の概要】
【発明が解決しようとする課題】
【０００４】
しかしながら、災害時には通信量が多くなって、位置情報などの携帯端末からサーバーへの送信は上手く行えない事態が起こりえる。
【０００５】
したがって本発明の目的は、災害時でも携帯端末からサーバーへの情報送信が行える情報送信システムなどを提供することである。
【課題を解決するための手段】
【０００６】
本発明に係る情報送信システムは、携帯端末情報を送信する第１携帯端末と、第１携帯端末から送信された携帯端末情報を第２携帯端末に送信するサーバーとを備え、第１携帯端末から送信される携帯端末情報は、第１携帯端末の位置情報と第１携帯端末での入力操作に対応する文字データの少なくとも一方を含み、サーバーは、災害情報を第１携帯端末や第２携帯端末に送信するものであり、サーバーが災害情報のうち規模が所定の規模以上の災害に関する情報を含む第１災害情報を送信してから第１期間の間、サーバーは、ＵＤＰ（User Datagram Protocol）を介して、携帯端末情報を受信し、第１期間が終了してから次の第１期間が開始されるまでの期間を示す第２期間の間、サーバーは、ＴＣＰ（Transmission Control Protocol）を介して、携帯端末情報を受信し、第１期間の間に、第１携帯端末からサーバーに携帯端末情報を送信する場合、携帯端末情報のうち位置情報や文字データの送信は、少なくとも２回行われる。
【０００７】
サーバーのプロトコルにＴＣＰが用いられる場合、送信側と受信側とで、ＡＣＫ（Acknowledgement）パケットが用いられ、信号送受信が頻繁に行われる。
第１期間など緊急時は、インターネット回線や災害時に利用されやすいサーバーなどへのアクセスが集中し、通信量が増えるため、サーバーが携帯端末からのデータをうまく受信出来ない可能性がある。
第１期間の間は、携帯端末からサーバーへの携帯端末情報の送信には、ＡＣＫパケットを用いないＵＤＰを介して行われる。
ＡＣＫパケットを用いないため、確実に信号送信が完了したかどうかの確認は出来ないが、第１期間の間、同じ位置情報や文字データが複数回位置情報サーバーに送られるので、そのうちの少なくとも１つをサーバーが受信することが出来れば、サーバーは、当該位置情報を複数回送信した携帯端末の位置情報を取得出来ることになる（災害時でも携帯端末からサーバーへの情報送信が行える）。
【０００８】
好ましくは、第１携帯端末から送信される携帯端末情報は、第１携帯端末に記録された画像データと音声データの少なくとも一方を含み、第１期間の間に、第１携帯端末からサーバーに携帯端末情報を送信する場合、携帯端末情報のうち画像データや音声データの送信は、１回だけ行われる。
【０００９】
位置情報よりもファイルサイズが大きい画像データや音声データは、通信が混雑した状態であっても、ＵＤＰを介して送信を行えば、サーバーがデータの総てを受信することは出来ないかもしれないが、データの一部が欠落した状態で受信出来る可能性がある。
画像データや音声データは、一部が欠落した状態でも、出力（表示や再生）すれば、ある程度はその内容を認識可能なことが多いので、緊急時にＴＣＰを介して携帯端末からサーバーに画像データや音声データを送信する形態に比べて、携帯端末からサーバーへ画像や音声に関する情報の少なくとも一部を伝達することが可能になり、さらにサーバーから他の携帯端末へ画像や音声に関する情報の少なくとも一部を伝達することが可能になる（災害時でも携帯端末からサーバーへの情報送信が行える）。
【００１０】
また、好ましくは、第１期間の間に第１携帯端末からサーバーに送信される画像データや音声データを構成する複数のパケットの１パケットあたりの大きさは、第２期間の間に第１携帯端末からサーバーに送信される画像データや音声データを構成する複数のパケットの１パケットあたりの大きさよりも小さい。
【００１１】
さらに好ましくは、第１期間の間に第１携帯端末からサーバーに送信される画像データや音声データを構成する複数のパケットは、所定時間の時間間隔を空けて送信される。
【００１２】
また、好ましくは、第１期間の間に第１携帯端末からサーバーに送信される画像データは、色ごとに異なるパケットに分けた状態で、送信される。
【００１３】
さらに好ましくは、第１期間の間に第１携帯端末からサーバーに送信された画像データに対応する画像は、第２携帯端末において白黒で表示される。
【００１４】
また、好ましくは、第１期間は、サーバーが第１災害情報を第１携帯端末や第２携帯端末に送信した時点から、所定の時間が経過するまで、若しくはサーバーが第１災害情報に対応するキャンセル情報を第１携帯端末や第２携帯端末に送信するまでの間である。
【００１５】
また、好ましくは、第２携帯端末は、ＵＤＰを介して、サーバーが第１携帯端末から受信した携帯端末情報について、ＵＤＰを介してサーバーが受信したものである旨を表記した状態で、表示する。
【００１６】
本発明に係る情報送信方法は、第１携帯端末からサーバーに携帯端末情報を送信する第１ステップと、第１携帯端末から送信された携帯端末情報をサーバーから第２携帯端末に送信する第２ステップとを備え、第１携帯端末から送信される携帯端末情報は、第１携帯端末の位置情報と第１携帯端末での入力操作に対応する文字データの少なくとも一方を含み、サーバーは、災害情報を第１携帯端末や第２携帯端末に送信するものであり、サーバーが災害情報のうち規模が所定の規模以上の災害に関する情報を含む第１災害情報を送信してから第１期間の間、サーバーは、ＵＤＰを介して、携帯端末情報を受信し、第１期間が終了してから次の第１期間が開始されるまでの期間を示す第２期間の間、サーバーは、ＴＣＰを介して、携帯端末情報を受信し、第１期間の間に、第１携帯端末からサーバーに携帯端末情報を送信する場合、携帯端末情報のうち位置情報や文字データの送信は、少なくとも２回行われる。
【００１７】
本発明に係る情報送信プログラムは、第１携帯端末からサーバーに携帯端末情報を送信する第１ステップと、第１携帯端末から送信された携帯端末情報をサーバーから第２携帯端末に送信させる第２ステップとを実行する情報送信プログラムであって、第１携帯端末から送信される携帯端末情報は、第１携帯端末の位置情報と第１携帯端末での入力操作に対応する文字データの少なくとも一方を含み、サーバーは、災害情報を第１携帯端末や第２携帯端末に送信するものであり、サーバーが災害情報のうち規模が所定の規模以上の災害に関する情報を含む第１災害情報を送信してから第１期間の間、サーバーは、ＵＤＰを介して、携帯端末情報を受信し、第１期間が終了してから次の第１期間が開始されるまでの期間を示す第２期間の間、サーバーは、ＴＣＰを介して、携帯端末情報を受信し、第１期間の間に、第１携帯端末からサーバーに携帯端末情報を送信する場合、携帯端末情報のうち位置情報や文字データの送信は、少なくとも２回行われる。
【００１８】
本発明に係るサーバーは、第１携帯端末から送信された携帯端末情報を第２携帯端末に送信するサーバーであって、第１携帯端末から送信される携帯端末情報は、第１携帯端末の位置情報と第１携帯端末での入力操作に対応する文字データの少なくとも一方を含み、サーバーは、災害情報を第１携帯端末や第２携帯端末に送信するものであり、サーバーが災害情報のうち規模が所定の規模以上の災害に関する情報を含む第１災害情報を送信してから第１期間の間、サーバーは、ＵＤＰを介して、携帯端末情報を受信し、第１期間が終了してから次の第１期間が開始されるまでの期間を示す第２期間の間、サーバーは、ＴＣＰを介して、携帯端末情報を受信し、第１期間の間に、第１携帯端末からサーバーに携帯端末情報を送信する場合、携帯端末情報のうち位置情報や文字データの送信は、少なくとも２回行われる。
【００１９】
本発明に係る携帯端末は、携帯端末情報をサーバーに送信する携帯端末であって、サーバーは、携帯端末情報を別の携帯端末に送信するものであり、携帯端末から送信される携帯端末情報は、携帯端末の位置情報と携帯端末での入力操作に対応する文字データの少なくとも一方を含み、サーバーは、災害情報を携帯端末や別の携帯端末に送信するものであり、サーバーが災害情報のうち規模が所定の規模以上の災害に関する情報を含む第１災害情報を送信してから第１期間の間、携帯端末は、ＵＤＰを介して、携帯端末情報をサーバーに送信し、第１期間が終了してから次の第１期間が開始されるまでの期間を示す第２期間の間、携帯端末は、ＴＣＰを介して、携帯端末情報をサーバーに送信し、第１期間の間に、携帯端末からサーバーに携帯端末情報を送信する場合、携帯端末情報のうち位置情報や文字データの送信は、少なくとも２回行われる。
【発明の効果】
【００２０】
以上のように本発明によれば、災害時でも携帯端末からサーバーへの通信が行える情報送信システムなどを提供することができる。
【図面の簡単な説明】
【００２１】
【図１】本実施形態における位置情報出力システムの構成図である。
【図２】２０１６年８月３日８時８分時点における位置情報データベースのコンテンツ例を示す図である。
【図３】グループ情報データベースのコンテンツ例を示す図である。
【図４】２０１６年８月３日８時８分時点における第１携帯端末の第１画面の表示例で、第１使用者位置情報表示領域の上方領域が表示されたものある。
【図５】２０１６年８月３日８時８分時点における第１携帯端末の第１画面の表示例で、第１使用者位置情報表示領域の下方領域が表示されたものである。
【図６】図４の状態から、グループ名称：田中家に対応するグループの第１グループ名称表示領域がクリックされて表示された第２画面の表示例である。
【図７】図４の状態から、グループ名称：田中家に対応するグループの位置通知ボタンがクリックされて表示された第２画面の表示例である。
【図８】図４の状態から、重畳された第１割り込み画面の表示例である。
【図９】第２割り込み画面の表示例であって、「メッセージを送信する」ボタンがクリックされる前のものである。
【図１０】図９の状態から、「無事を報告する」ボタンがクリックされた後の第１画面の表示例である。
【図１１】第２割り込み画面の表示例であって、「メッセージを送信する」ボタンがクリックされた後のものである。
【図１２】図１１の状態から、第２メッセージ入力領域に入力されたメッセージが送信された後における、グループ名称：田中家に対応する第２画面の表示例である。
【図１３】図１１の状態から、第２メッセージ入力領域に入力されたメッセージが送信された後における、グループ名称：実家に対応する第２画面の表示例である。
【図１４】２０１６年８月３日８時３１分時点における位置情報データベースのコンテンツ例を示す図である。
【図１５】２０１６年８月３日８時３２分時点における第１携帯端末の第１画面の表示例である。
【図１６】２０１６年８月３日８時３２分時点における位置情報データベースのコンテンツ例を示す図である。
【図１７】２０１６年８月３日８時３３分時点における第１携帯端末の第１画面の表示例である。
【図１８】２０１６年８月３日８時３３分時点における位置情報データベースのコンテンツ例を示す図である。
【図１９】第３画面の表示例である。
【図２０】図１９の状態から、最上段の災害情報（第１災害情報）を示す領域をクリックして、切り替え表示された第４画面の例である。
【図２１】キャンセル情報を含む第１画面の表示例である。
【図２２】図１９の状態から、キャンセル情報を受信した場合の第３画面の表示例である。
【図２３】第２割り込み画面の表示例であって、図６の状態からさらに第２画像データ送信操作ボタンがクリックされた後のものである。
【図２４】図６の状態から、画像データが送信されて送信対象画像が、グループ名称：田中家に対応するグループのグループチャットに加えられた状態の第２画面の表示例である。
【図２５】図６の状態から、音声データが送信されて録音された音声が再生可能な状態で、グループ名称：田中家に対応するグループのグループチャットに加えられた状態の第２画面の表示例である。
【図２６】図１１の状態から、画像データが送信されて送信対象画像が、グループ名称：田中家に対応するグループのグループチャットに加えられた状態の第２画面の表示例である。
【図２７】第２期間の間に送信されるデータの構成を示す模式図である。
【図２８】第１期間の間に送信されるデータの構成を示す模式図である。
【発明を実施するための形態】
【００２２】
以下、本実施形態について、図を用いて説明する。本実施形態における位置情報出力システム（情報送信システム）１は、情報源発信部２０、位置情報サーバー３０（通信部３１、記録部３３、制御部３５）、携帯電話などの携帯端末（第５１携帯端末Ｍ５１〜第５５携帯端末Ｍ５５）を備える（図１参照）。
本実施形態では、５つの携帯端末を使って、互いの位置情報や安否情報を通知しあう形態を説明するが、携帯端末の数は、５つに限るものではない。
また、本実施形態では、第１期間Ｔｅ１はＵＤＰ（User Datagram Protocol）を介して、第２期間Ｔｅ２はＴＣＰ（Transmission Control Protocol）を介して、位置情報などを携帯端末から位置情報サーバー３０に送信する情報送信システムや情報送信プログラムの一例として、位置情報出力システム１や位置情報プログラムを説明する。
【００２３】
第５１携帯端末Ｍ５１が、特許請求の範囲に記載された「第１携帯端末や携帯端末」に相当し、第５２携帯端末Ｍ５２若しくは第５３携帯端末Ｍ５３が、特許請求の範囲に記載された「第２携帯端末や別の携帯端末」に相当し、位置情報サーバー３０が、特許請求の範囲に記載された「サーバー」に相当する。
【００２４】
使用者ＩＤ：１１の使用者（使用者名称：パパ、太郎）が第５１携帯端末Ｍ５１にインストールされた位置情報プログラム（情報送信プログラム）に使用者ＩＤ：１１でログインし、使用者ＩＤ：１２の使用者（使用者名称：花子）が第５２携帯端末Ｍ５２にインストールされた位置情報プログラムに使用者ＩＤ：１２でログインし、使用者ＩＤ：１３の使用者（使用者名称：進）が第５２携帯端末Ｍ５３にインストールされた位置情報プログラムに使用者ＩＤ：１３でログインし、使用者ＩＤ：２３の使用者（使用者名称：おじいちゃん）が第５４携帯端末Ｍ５４にインストールされた位置情報プログラムに使用者ＩＤ：２３でログインし、使用者ＩＤ：２４の使用者（使用者名称：おばあちゃん）が第５５携帯端末Ｍ５５にインストールされた位置情報プログラムに使用者ＩＤ：２４でログインする例を示す。
また、図４などの画面表示例は、使用者ＩＤ：１１の使用者（使用者名称：パパ、太郎）が、第５１携帯端末Ｍ５１にインストールされた位置情報プログラムに、使用者ＩＤ：１１でログインした後に表示されるものである。
【００２５】
位置情報サーバー３０と携帯端末の間の情報送受信は、位置情報プログラムを介して行われる。
なお、本実施形態では、各携帯端末にインストールされた位置情報プログラムを用いる形態を説明するが、各携帯端末がネットワークを介してＡＳＰ（Application Service Provider）のサーバーにアクセスし、当該ＡＳＰのサーバー-に格納された位置情報プログラムを用いる形態であってもよい。
【００２６】
情報源発信部２０は、災害情報を位置情報サーバー３０の通信部３１に出力する。
災害情報は、少なくとも災害の場所に関する情報を有し、本実施形態では、災害の種別、場所、及び日時に関する情報を有する。
本実施形態では、災害情報が、地震に関する災害情報であるとして説明するが、他の災害情報であってもよい。また、地震発生報告など過去に発生した情報だけでなく、地震予知など将来に発生が予測される情報であってもよい。
【００２７】
災害情報は、災害情報に含まれる災害の規模が所定の規模以上である第１災害情報と、災害情報に含まれる災害の規模が所定の規模未満である第２災害情報と、第１災害情報や第２災害情報の発信後の第１時間Ｔ１（数秒〜数十秒程度）以内に発せられるキャンセル情報（第１災害情報や第２災害情報を取り消す情報）に区分される。
本実施形態では、震度が５以上の地震に関する情報を第１災害情報とし、震度が５未満の地震に関する情報を第２災害情報とする。
【００２８】
情報源発信部２０は、位置情報サーバー３０とネットワーク接続が可能な状態で、気象庁など災害情報を発信出来る場所に設置される。
ただし、情報源発信部２０を設置せず、災害情報の関連情報を受けた使用者が、入出力端末７０を介して、位置情報サーバー３０に災害情報を入力し、これに基づいて、位置情報サーバー３０が災害情報を携帯端末に送信する形態であってもよい。
【００２９】
本実施形態では、情報源発信部２０から「災害の種別：地震（四国地方で最大予測震度６−でマグニチュード７．１）、場所：四国地方、日時：２０１６年８月３日８時３０分１７秒」を有する災害情報を位置情報サーバー３０が受信し、第５１携帯端末Ｍ５１〜第５５携帯端末５５は、以下に示す条件で自身の位置情報などを位置情報サーバー３０に送信する例を示す。
【００３０】
第５１携帯端末Ｍ５１は、２０１６年８月３日８時８分３２秒に位置情報を位置情報サーバー３０に送信し、２０１６年８月３日８時３１分２２秒に位置情報や無事である旨の信号（若しくは、メッセージ）を位置情報サーバー３０に送信した。
第５２携帯端末Ｍ５２は、２０１６年８月３日８時４分１２秒に位置情報を位置情報サーバー３０に送信し、２０１６年８月３日８時３２分５３秒に位置情報や無事である旨の信号を位置情報サーバー３０に送信した。
第５３携帯端末Ｍ５３は、２０１６年８月３日８時５分２０秒に位置情報を位置情報サーバー３０に送信し、２０１６年８月３日８時３３分３秒に位置情報や無事である旨の信号を位置情報サーバー３０に送信した。
第５４携帯端末Ｍ５４は、２０１６年８月３日７時３０分１１秒に位置情報を位置情報サーバー３０に送信し、２０１６年８月３日８時３３分２秒に位置情報や無事である旨の信号を位置情報サーバー３０に送信した。
第５５携帯端末Ｍ５５は、２０１６年８月３日７時４５分４２秒に位置情報を位置情報サーバー３０に送信し、２０１６年８月３日８時３３分１４秒に位置情報や無事である旨の信号を位置情報サーバー３０に送信した。
【００３１】
次に位置情報サーバー３０の各部（通信部３１、記録部３３、制御部３５）について、説明する。
【００３２】
位置情報サーバー３０の通信部３１は、位置情報データベースＤ１に登録された携帯端末（第５１携帯端末Ｍ５１〜第５５携帯端末Ｍ５５）のそれぞれと通信を行い、これらの携帯端末に対して災害情報を送信する前から、第２時間Ｔ２（たとえば、３０分）ごとに、各携帯端末の位置情報を取得する。
【００３３】
たとえば、各携帯端末にインストールされた位置情報プログラムを使って、位置情報サーバー３０の通信部３１に対して第２時間Ｔ２ごとに位置情報を送信する形態が考えられる。
【００３４】
また、位置情報サーバー３０の通信部３１が、通信キャリアにおける、携帯端末と無線リンクを形成する基地局、携帯端末のルーチング（通信ルートの選定）や呼設定・切断、課金等を行う移動交換機（ＭＳＣ：Mobile Switching Center）、移動交換機がカバーするエリアごとの位置登録データベースであるＶＬＲ（Visitor Location Register）、ゲートウェイ交換機（ＧＭＳＣ：Gateway Mobile Switching Center）、携帯電話番号や当該携帯端末の識別情報（ＩＭＥＩなど端末の識別番号、ＩＣＣＩＤなどＳＩＭカードの識別番号）や位置情報などのユーザー情報を管理するデータベースであるＨＬＲ（Home Location Register）の何れかと通信を行い、各携帯端末の位置情報を取得する形態が考えられる。
【００３５】
各携帯端末の位置情報を取得する際には、位置情報の詳細度合いの制限は設けず、取得出来る最も詳細なレベルの位置情報を取得し、これが位置情報データベースＤ１に記録される。
ただし、携帯端末（第１携帯端末）に当該携帯端末や他の携帯端末（第２携帯端末）の位置情報を開示する際には、携帯端末の使用者によって設定された「開示する位置情報の詳細度合い（第１詳細度パラメータｄｐ１、第２詳細度パラメータｄｐ２）」に基づいて、位置情報の詳細度合いが調整される。
【００３６】
また、位置情報サーバー３０の通信部３１は、情報源発信部２０からの災害情報を受信し、当該災害情報の受信後（若しくは、入出力端末７０による当該災害情報の入力後）に、位置情報データベースＤ１やグループ情報データベースＤ２に基づいて、携帯端末（第５１携帯端末Ｍ５１〜第５５携帯端末Ｍ５５）に、当該災害情報などを送信し、当該携帯端末からの安否回答情報を受信する。
【００３７】
位置情報サーバー３０の通信部３１は、ＴＣＰ、及びＵＤＰの両方に対応し、第１期間Ｔｅ１（緊急時）は、ＵＤＰを介して、携帯端末から携帯端末情報（位置情報、メッセージなど後述する第１操作や第２操作に基づく安否回答情報に含まれる文字データ、画像データ、音声データ）の受信を行い、第２期間Ｔｅ２（通常時）は、ＴＣＰを介して、携帯端末から携帯端末情報の受信を行う。
【００３８】
具体的には、位置情報サーバー３０が第１災害情報を携帯端末に送信した時点から、所定の時間（例えば、１時間）が経過するまで、若しくは位置情報サーバー３０が当該第１災害情報に対応するキャンセル情報を携帯端末に送信する時点までの間が、第１期間Ｔｅ１とされ、第１期間Ｔｅ１が終了した時点から、位置情報サーバー３０が次の第１災害情報を携帯端末に送信する時点までの間が、第２期間Ｔｅ２と定義する。
【００３９】
第１期間Ｔｅ１の間に、携帯端末から位置情報サーバー３０に、携帯端末情報のうち画像データや音声データを送信する場合は、携帯端末は、ＵＤＰを介して、位置情報サーバー３０に、画像データ若しくは音声データを１回送信する。
第１期間Ｔｅ１の間に、携帯端末から位置情報サーバー３０に、携帯端末情報のうち位置情報や文字データを送信する場合は、携帯端末は、ＵＤＰを介して、位置情報サーバー３０に、位置情報若しくは文字データを２回以上送信する。
【００４０】
第２期間Ｔｅ２の間に、携帯端末から位置情報サーバー３０に、携帯端末情報のいずれかを送信する場合は、携帯端末は、ＴＣＰを介して、位置情報サーバー３０に、携帯端末情報のいずれかを送信する。
第２期間Ｔｅ２の間に送信される携帯端末情報は、情報送信が完了するまで複数回行われることもある。
【００４１】
位置情報サーバー３０のプロトコルにＴＣＰが用いられる場合、送信側と受信側とで、ＡＣＫ（Acknowledgement）パケットが用いられ、信号送受信が頻繁に行われる。
第１期間Ｔｅ１など緊急時は、インターネット回線や災害時に利用されやすいサーバーなどへのアクセスが集中し、通信量が増えるため、送信側と受信側のいずれかがＡＣＫパケットの一つが受信出来ずに、再送を繰り返し、データの送信が完了出来ない可能性がある。
本実施形態では、第１期間Ｔｅ１の間は、携帯端末から位置情報サーバー３０への携帯端末情報の送信には、ＡＣＫパケットを用いないＵＤＰを介して行われる。
ＡＣＫパケットを用いないため、確実に信号送信が完了したかどうかの確認は出来ないが、第１期間Ｔｅ１の間、同じ位置情報や文字データが複数回位置情報サーバー３０に送られるので、そのうちの少なくとも１つを位置情報サーバー３０が受信することが出来れば、位置情報サーバー３０は、当該位置情報を複数回送信した携帯端末の位置情報を取得出来ることになる（災害時でも携帯端末から位置情報サーバーへの情報送信が行える）。
【００４２】
ただし、複数回同じ情報を位置情報サーバー３０が受信する可能性があるため、後述する位置情報プログラムでかかる情報を表示する際に、ＵＤＰを介して受信したものであるか、ＴＣＰを介して受信したものであるかに関する情報を表示するのが望ましい。
【００４３】
また、位置情報よりもファイルサイズが大きい画像データや音声データは、通信が混雑した状態であっても、ＵＤＰを介して送信を行えば、位置情報サーバー３０がデータの総てを受信することは出来ないかもしれないが、データの一部が欠落した状態で受信出来る可能性がある。
画像データや音声データは、一部が欠落した状態でも、出力（表示や再生）すれば、ある程度はその内容を認識可能なことが多いので、緊急時にＴＣＰを介して携帯端末から位置情報サーバー３０に画像データや音声データを送信する形態に比べて、携帯端末から位置情報サーバー３０へ画像や音声に関する情報の少なくとも一部を伝達することが可能になり、さらに位置情報サーバー３０から他の携帯端末へ画像や音声に関する情報の少なくとも一部を伝達することが可能になる（災害時でも携帯端末から位置情報サーバーへの情報送信が行える）。
【００４４】
ただし、一部のデータが欠落した状態で画像データや音声データを位置情報サーバー３０が受信する可能性があるため、後述する位置情報プログラムでかかる情報を表示する際に、ＵＤＰを介して受信したものであるか、ＴＣＰを介して受信したものであるかに関する情報を表示するのが望ましい。
【００４５】
位置情報サーバー３０の記録部３３は、位置情報データベースＤ１、グループ情報データベースＤ２を記録する。
また、記録部３３には、携帯端末にインストールされた位置情報プログラム（情報送信プログラム）に対応して、当該携帯端末と通信し、災害情報や携帯端末情報などの送受信を行うプログラムがインストールされている。
【００４６】
位置情報データベースＤ１は、携帯端末の使用者に関する情報と、携帯端末（携帯端末名称）と、当該携帯端末の位置に関する情報と、当該携帯端末から送信された安否に関する情報の関係を示す。
位置情報データベースＤ１における携帯端末の使用者に関する情報は、携帯端末それぞれを介して使用者によって入力された情報（使用者設定操作で設定された情報）で、携帯端末それぞれに対応する使用者名称、使用者ＩＤ（位置情報プログラムへログインするための識別番号）、使用者マーク（写真でもよい）を有する。
使用者名称は、使用者ＩＤ：１１に対応する使用者名称：パパ、太郎のように、グループごとに異なる名称が用いられる形態であってもよい。
【００４７】
携帯端末の位置に関する情報は、ＨＬＲなど若しくは携帯端末から受信した情報で、携帯端末それぞれに対応する緯度経度情報、当該緯度経度情報に対応する地域名称、測位日時を有する。
【００４８】
位置情報データベースＤ１における緯度経度情報、測位日時は、第２時間Ｔ２ごとに、位置情報サーバー３０の通信部３１が位置情報データベースＤ１に登録された携帯端末（第５１携帯端末Ｍ５１〜第５５携帯端末Ｍ５５）と通信することにより、若しくは、通信部３１が通信キャリアにおける基地局などと通信することにより取得される。
【００４９】
位置情報データベースＤ１における緯度経度情報に対応する地域名称は、緯度経度情報を地域名称に変換するテーブル（不図示）を使って、携帯端末の緯度経度情報が地域名称に変換されたものである。
【００５０】
位置情報データベースＤ１における安否に関する情報は、位置情報サーバー３０の通信部３１が位置情報データベースＤ１に登録された携帯端末（第５１携帯端末Ｍ５１〜第５５携帯端末Ｍ５５）から安否回答操作があったか否かを示すもので、第１災害情報（災害情報のうち、災害の規模が大きいもの）を送信した時に初期化され、安否種類欄のパラメータ（安否種類パラメータｓｐ）は、総ての携帯端末の使用者の安否が不明である（安否回答操作がされていない）ことを示す初期値（ｓｐ＝１）に設定される。
【００５１】
初期化された後、位置情報データベースＤ１における安否情報は、当該携帯端末から安否回答情報を受信した時に更新される。
【００５２】
携帯端末にインストールされた位置情報プログラム上で、当該携帯端末の使用者によって安否回答のための特定の操作（安否回答操作）が行われた場合に、安否種類欄のパラメータの値が０（回答があったことを示す安否種類パラメータｓｐ＝０）に変更される。すなわち、当該安否回答のための特定の操作（安否回答操作）が行われない状態においては、初期値：１が維持される。
【００５３】
安否回答操作は、たとえば、携帯端末にインストールされた位置情報プログラム上で行われる操作の一つであり、具体的には、第１画面Ｐ１上に割り込み表示された第２割り込み画面Ｐｉ２における「無事を報告する」ボタン６０１若しくは「無事」ボタン６０２をクリックする第１操作と、「メッセージを送信する」ボタン６０３をクリックし、文字または画像もしくは音声によるメッセージを入力し、その後に第２送信ボタン６０５をクリックする第２操作を有する。
ただし、位置情報サーバー３０が情報源発信部２０からキャンセル情報を受信した場合は、安否回答操作の有無に関わらず、総ての使用者の安否種類パラメータｓｐが０に変更される。
【００５４】
グループ情報データベースＤ２は、位置情報プログラム内のグループチャット（グループメッセージ）で使用するグループに関する情報と、当該グループに属する使用者に関する情報の関係を示す。
グループに関する情報は、携帯端末を介して使用者によって入力された情報（グループ設定操作で設定された情報）で、グループ名称、グループＩＤ（グループの識別番号）、グループマーク（写真でもよい）を有する。
グループに属する使用者に関する情報は、携帯端末を介して使用者によって入力された情報（位置情報開示指定操作で設定された情報）で、グループに属する使用者名称、グループに属する使用者ＩＤ、平常時（安否回答パラメータｓｐが０の間）に開示する位置情報の詳細度合い（第１詳細度パラメータｄｐ１）、災害時（安否回答パラメータｓｐが１の間）に開示する位置情報の詳細度合い（第２詳細度パラメータｄｐ２）を有する。
【００５５】
本実施形態では、第１詳細度パラメータｄｐ１や第２詳細度パラメータｄｐ２が、３段階（１：粗い位置情報（たとえば、都道府県レベル）を開示する、中程度の粗さの位置情報（例えば、市町村レベル）を開示する、３：細かい位置情報（たとえば、番地レベル）を開示する）有する形態を説明するが、２段階若しくは４段階以上有する形態であってもよい。
【００５６】
なお、第２詳細度パラメータｄｐ２は、第１詳細度パラメータｄｐ１と同じかそれ以上に細かい詳細度合いに設定されるのが望ましい。
例えば、第１詳細度パラメータｄｐ１は、使用者により当該３段階で調整可能で、第２詳細度パラメータｄｐ２は、最も細かい詳細度合いで固定される形態が考えられる。
【００５７】
本実施形態では、グループ名称：田中家（グループＩＤ：Ｇ００１）に、使用者ＩＤ：１１の使用者（使用者名称：パパ、第１詳細度パラメータｄｐ１：２、第２詳細度パラメータｄｐ２：３）、使用者ＩＤ：１２の使用者（使用者名称：花子、第１詳細度パラメータｄｐ１：１、第２詳細度パラメータｄｐ２：３）、使用者ＩＤ：１３の使用者（使用者名称：進、第１詳細度パラメータｄｐ１：２、第２詳細度パラメータｄｐ２：３）が属する。
また、グループ名称：実家（グループＩＤ：Ｇ００２）に、使用者ＩＤ：２３の使用者（使用者名称：おじいちゃん、第１詳細度パラメータｄｐ１：３、第２詳細度パラメータｄｐ２：３）、使用者ＩＤ：２４の使用者（使用者名称：おばあちゃん、第１詳細度パラメータｄｐ１：３、第２詳細度パラメータｄｐ２：３）、使用者ＩＤ：１１の使用者（使用者名称：太郎、第１詳細度パラメータｄｐ１：１、第２詳細度パラメータｄｐ２：３）が属する。
【００５８】
位置情報サーバー３０の制御部３５は、通信部３１や記録部３３を制御する。
【００５９】
具体的には、制御部３５は、位置情報サーバー３０が情報源発信部２０から災害情報を受信した時に、通信部３１を介して、位置情報データベースＤ１に登録された携帯端末（第５１携帯端末Ｍ５１〜第５５携帯端末Ｍ５５）に当該災害情報を送信する。
【００６０】
また、制御部３５は、緊急速報メールやＳＭＳなどを使って、災害情報のうち第１災害情報を含むメッセージを携帯端末に送信する形態であってもよい。
携帯端末は、位置情報プログラムが起動している場合には、当該第１災害情報を含むメッセージを表示せず、位置情報プログラムが起動していない場合は、当該第１災害情報を含むメッセージを表示する。
第１災害情報を含むメッセージとしては、例えば、図８の第１割り込み画面Ｐｉ１における第２災害情報表示領域５０１のＯＫボタン５０１ａや第１マークｍａ１を除く領域に記載されたコンテンツ「地震が発生しました  緊急地震速報を受信しました  ２０１６−０８−０３  ０８：３０：１７に四国地方で地震が発生しました  最大予測震度は６−  マグニチュードは７．１です  身の安全を確保してください」などが考えられる。
これにより、位置情報プログラムが起動していない場合でも、第１災害情報を携帯端末の使用者に伝えることが可能になる。
【００６１】
また、制御部３５は、位置情報サーバー３０が第５１携帯端末Ｍ５１〜第５５携帯端末Ｍ５５から、使用者設定操作やグループ設定操作や位置情報開示指定操作などによって、使用者に関する情報や所属するグループに関する情報や開示する位置情報の詳細度合いに関する情報を受信した時に、記録部３３に記録された位置情報データベースＤ１やグループ情報データベースＤ２を更新する。
【００６２】
また、制御部３５は、位置情報サーバー３０が第５１携帯端末Ｍ５１〜第５５携帯端末Ｍ５５の位置情報を受信した時に、記録部３３に記録された位置情報データベースＤ１における位置情報を更新する。
【００６３】
また、制御部３５は、携帯端末の使用者による安否回答操作に基づき、位置情報サーバー３０が第５１携帯端末Ｍ５１〜第５５携帯端末Ｍ５５から安否回答情報を受信した時に、記録部３３に記録された位置情報データベースＤ１における安否種類パラメータｓｐを更新する。
安否回答操作に基づいて、第５１携帯端末Ｍ５１〜第５５携帯端末Ｍ５５が安否回答情報を位置情報サーバー３０に送信する際に、測位して位置情報も送信される。
送信された位置情報に基づいて、位置情報データベースＤ１における位置情報が更新される。
なお、安否回答操作に基づいて安否回答情報が送信される際に、位置情報が送信されない形態であってもよい。
【００６４】
また、制御部３５は、通信部３１を介して、位置情報データベースＤ１とグループ情報データベースＤ２に基づいて、当該位置情報プログラムにログインした使用者（本人）の携帯端末に対して、位置情報と安否情報であって、当該位置情報プログラムにログインした使用者（本人）が属するグループに属する他の使用者（他人）のものを送信する。
例えば、使用者ＩＤ：１１の使用者（使用者名称：パパ、太郎）は、グループ名称：田中家（グループＩＤ：Ｇ００１）のグループと、グループ名称：実家（グループＩＤ：Ｇ００２）のグループに属するため、これらのグループに属する使用者（グループ名称：田中家（グループＩＤ：Ｇ００１）のグループに属する使用者ＩＤ：１２の使用者、使用者ＩＤ：１３の使用者、グループ名称：実家（グループＩＤ：Ｇ００２）に属する使用者ＩＤ：２３の使用者、使用者ＩＤ：２４の使用者）の位置情報や安否情報が、使用者ＩＤ：１１に対応する第５１携帯端末Ｍ５１に送信される。
【００６５】
位置情報サーバー３０から携帯端末へ送信される位置情報は、最も細かい詳細度合いの位置情報が用いられ、安否情報（安否種類パラメータｓｐ）に基づいて携帯端末上で表示する位置情報の詳細度合いが調整される。
具体的には、安否種類パラメータｓｐが０の使用者については、平常時に開示する位置情報の詳細度合い（第１詳細度パラメータｄｐ１）で、位置情報が表示され、安否種類パラメータｓｐが１の使用者については、災害時に開示する位置情報の詳細度合い（第２詳細度合いパラメータｄｐ２）で、位置情報が表示される。
ただし、位置情報サーバー３０から各携帯端末に位置情報を送信する段階で、位置情報データベースＤ１に記録された安否情報（安否種類パラメータｓｐ）に基づいて、送信する携帯端末ごと、更に位置情報を開示する使用者ごとに詳細度合いを変えた状態で位置情報を各携帯端末に送信する形態であってもよい。
【００６６】
次に、位置情報プログラムの詳細について説明する。
位置情報プログラムは、第１画面Ｐ１（災害情報、使用者ごとの位置情報の表示）、第２画面Ｐ２（グループチャット表示）、第３画面Ｐ３（災害情報一覧表示）、第４画面Ｐ４（過去災害情報の詳細表示）、第１割り込み画面Ｐｉ１（災害情報の割り込み表示）、第２割り込み画面Ｐｉ２（安否回答の割り込み表示）を携帯端末上に表示する機能を有する。
平常時、携帯端末上には、使用者の操作により、第１画面Ｐ１〜第４画面Ｐ４のいずれかが表示され、災害時には、第１画面Ｐ１〜第４画面Ｐ４が表示された上に、第１割り込み画面Ｐｉ１が割り込み表示され、所定の操作（ＯＫボタン５０１ａのクリック）後に、第２割り込み画面Ｐｉ２が表示される。
【００６７】
第１画面Ｐ１は、第１災害情報表示領域１０１、第１使用者位置情報表示領域１０３、画面切替ボタン表示領域１０５を有する（図４、図５、図８〜図１１、図１５、図１７、図２１、図２３参照）。
【００６８】
第１災害情報表示領域１０１には、直前に発生した地震に関する情報（地域、日時、最大震度、マグニチュード）が表示され、背景に当該地震に関する情報に含まれる地域を中心とした地図が表示される。
第１災害情報表示領域１０１には、第１災害情報と第２災害情報については災害の規模（最大予測震度の数値）を示し、キャンセル情報の場合はキャンセル情報であることを示す第１マークｍａ１が設けられる。
本実施形態では、第１マークｍａ１は、第１災害情報については白抜き文字で表示され、第２災害情報については黒文字で表示され、キャンセル情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
【００６９】
ただし、過去の一定時間内に地震が発生していない場合は、第１災害情報表示領域１０１には、「地震が発生していない旨」の表示と、当該携帯端末の細かい位置情報を含めた表示が行われる。
図４と図５は、過去の一定時間内に地震が発生していない状態を示し、図８〜図１１、図１５、図１７、図２１、図２３は、過去の一定時間内に地震が発生している状態を示す。
【００７０】
また、位置情報サーバー３０が第１災害情報を送信してから、位置情報サーバー３０がグループ内の使用者全員から安否回答を受信するまで、若しくは位置情報サーバー３０が情報源発信部２０からキャンセル情報を受信するまでの第３時間Ｔ３の間は、第１災害情報表示領域１０１若しくは、その近傍の表示領域が、第３時間Ｔ３以外の間と異なった状態で表示される。
例えば、第３時間Ｔ３の間、第１災害情報表示領域１０１とその近傍の表示領域は、赤を基調とした色で表示され、第３時間Ｔ３以外の間、第１災害情報表示領域１０１とその近傍の表示領域は、緑など赤と異なる色を基調とした色で表示される。
【００７１】
本実施形態では、第３時間Ｔ３の間、周囲が太線の枠で強調された状態で第１災害情報表示領域１０１が表示（図８〜図１１、図１５、図２３参照）され、第３時間Ｔ３以外の間、当該太線の枠が無い状態で第１災害情報表示領域１０１が表示（図４、図５、図１７、図２１参照）される例を示す。
【００７２】
第３時間Ｔ３は、当該携帯端末の使用者ごとに、位置情報データベースＤ１における安否情報（安否種類パラメータｓｐ）に基づいて決定され、当該携帯端末の使用者が属するグループに属する使用者の少なくとも１人の安否種類パラメータｓｐが１となっている間が当該携帯電話の使用者に対応する第３時間Ｔ３となる。
本実施形態では、当該携帯端末の使用者（使用者ＩＤ：１１、使用者名称：パパ、太郎）が属する第１のグループ（グループ名称：田中家、グループＩＤ：Ｇ００１）に属する使用者（使用者ＩＤ：１１、１２、１３）と第２のグループ（グループ名称：実家、グループＩＤ：Ｇ００２）に属する使用者（使用者ＩＤ：１１、２３、２４）の少なくとも１人の安否種類パラメータｓｐが１となっている間が、使用者ＩＤ：１１に対応する第３時間Ｔ３となる。
【００７３】
災害情報がキャンセル情報である場合には、第１災害情報表示領域１０１に「キャンセル情報であること」を示す文字表示領域１０１ａが設けられる（図２１参照）。
また、キャンセル情報の直前の災害情報が第１災害情報であった場合には、位置情報データベースＤ１における安否種類パラメータｓｐは、総ての使用者について０に戻される。
【００７４】
第１使用者位置情報表示領域１０３には、当該携帯端末の使用者が属するグループごとに、グループマーク、グループ名称、所属する使用者に関する使用者マーク、使用者名称、位置情報、位置情報の取得時間（現在時間から遡った時間）、位置通知ボタン（当該グループのグループチャット画面に当該携帯端末の使用者の発言として当該携帯端末の位置情報を表示させるボタン）１０３ａが設けられる。
図４などは、使用者ＩＤ：１１の使用者が属する２つのグループ（第１のグループ名称：田中家、グループＩＤ：Ｇ００１、第２のグループ名称：実家、グループＩＤ：Ｇ００２）ごとに、当該グループに所属する使用者の位置情報などが表示される例を示す。
【００７５】
グループマークやグループ名称が表示された領域（第１グループ名称表示領域１０３ｂ）がクリックされると、当該グループのグループチャット画面（第２画面Ｐ２）の表示に切り替えられる（図６参照）。
【００７６】
第２画面Ｐ２は、戻るボタン２０１、グループチャット表示領域２０３を有する（図６、図７、図１２、図１３、図２４〜図２６参照）。
戻るボタン２０１がクリックされると、第１画面Ｐ１の表示に切り替えられる。
グループチャット表示領域２０３は、グループマークやグループ名称が表示された領域（第２グループ名称表示領域２０３ａ）と、グループチャットの内容を表示する領域（チャット表示領域２０３ｂ）とが設けられる。
【００７７】
チャット表示領域２０３ｂに、位置通知ボタン１０３ａのクリックに対応して表示された位置情報を含むメッセージには、第２マークｍａ２が設けられる。
チャット表示領域２０３ｂには、第１メッセージ入力領域２０３ｂ１（文字メッセージを入力する領域）、送信を指示する第１送信ボタン２０３ｂ２、写真などの画像データを送信する第１画像データ送信操作ボタン２０３ｂ３、及び録音した音声などの音声データを送信する第１音声データ送信操作ボタン２０３ｂ４が設けられる。
【００７８】
第１メッセージ入力領域２０３ｂ１に文字入力などがされる場合には、入力キー領域（不図示、図１１の入力キー領域６０６参考）がさらに表示される。
入力キー領域を操作して、第１メッセージ入力領域２０３ｂ１に文字メッセージが入力され、その後に第１送信ボタン２０３ｂ２がクリックされると、携帯端末は、当該メッセージ（文字）に対応する文字データを位置情報サーバー３０に送信し、当該文字メッセージがグループチャットに加えられる（図６参照）。
【００７９】
第１画像データ送信操作ボタン２０３ｂ３がクリックされると、携帯端末のカメラで撮影されたスルー画像や、既に携帯端末に記録された画像を、メッセージとして送信する対象として選択可能な状態で表示する画像データ表示領域（不図示、図２３の画像データ表示領域６０９参考）がさらに表示される。
当該画像データ表示領域におけるスルー画像から静止画像の撮影や送信対象画像の選択の後に第１送信ボタン２０３ｂ２がクリックされると、携帯端末は、当該メッセージ（画像）に対応する画像データを位置情報サーバー３０に送信し、当該送信対象画像がグループチャットに加えられる（図２４参照）。
図２４は、図６の状態から、第１画像データ送信操作ボタン２０３ｂ３がクリックされ、選択された送信対象画像が、グループチャットに加えられた状態を示す。
【００８０】
第１音声データ送信操作ボタン２０３ｂ４がクリックされると、当該クリックがされている間、若しくは当該クリックがされてから第４時間Ｔ４（例えば、Ｔ４＝１０秒）の間、携帯端末のマイクで音声が録音される。
録音終了後に第１送信ボタン２０３ｂ２がクリックされると、携帯端末は、当該メッセージ（音声）に対応する音声データを位置情報サーバー３０に送信し、当該録音された音声が再生可能な状態で、グループチャットに加えられる（図２５参照）。
図２５は、図６の状態から、第１音声データ送信操作ボタン２０３ｂ４がクリックされ、録音された音声が再生可能な状態で、グループチャットに加えられた状態を示す。
【００８１】
図６は、第１使用者位置情報表示領域１０３における、グループ名称：田中家に対応する第１グループ名称表示領域１０３ｂがクリックされて、当該グループのグループチャット画面（第２画面Ｐ２）の表示に切り替えられた状態を示す。
【００８２】
第１画面Ｐ１における位置通知ボタン１０３ａがクリックされると、当該グループのグループチャット画面（第２画面Ｐ２）の表示に切り替えられ、且つ当該携帯端末の使用者の発言として、当該携帯端末の位置情報を含むメッセージが、当該位置情報に対応する地図表示への切り替えが可能なリンクが施された状態で、グループチャットに加えられる（図７参照）。
図７は、第１使用者位置情報表示領域１０３における、グループ名称：田中家の位置通知ボタン１０３ａがクリックされて、当該グループのグループチャット画面（第２画面Ｐ２）の表示に切り替えられた状態を示す。
【００８３】
位置通知ボタン１０３ａをクリックする簡単な操作で、使用者が属するグループのうち指定したグループのグループチャットに使用者の位置情報を含むメッセージを加えることが出来、当該グループに属する使用者全員に位置情報を伝えることが可能になる。
【００８４】
位置通知ボタン１０３ａをクリックすることにより、グループチャットに加えられる位置情報は、後述する第２詳細度パラメータｄｐ２に基づいて、災害時に開示する位置情報の詳細度合いのものであるのが望ましい。
【００８５】
安否種類パラメータｓｐが０の状態（安否回答操作が行われた状態）で、第１使用者位置情報表示領域１０３に表示される位置情報は、第１詳細度パラメータｄｐ１に基づいて、平常時に開示する位置情報の詳細度合いのものであるが、位置通知ボタン１０３ａの操作によって、グループチャットを介して、第２詳細度パラメータｄｐ２に基づいて、災害時に開示する位置情報の詳細度合いの位置情報（詳しい位置情報）を当該グループに属する使用者に伝えることが可能になる。
【００８６】
第１使用者位置情報表示領域１０３に表示される情報量が多い場合には、縦方向にスクロールが可能な状態で表示される。図４などは、第１使用者位置情報表示領域１０３における上方領域が表示された状態を示し、図５は、第１使用者位置情報表示領域１０３における下方領域が表示された状態を示す。
【００８７】
第１使用者位置情報表示領域１０３に表示される位置情報の詳細度合いは、位置情報データベースＤ１における安否情報（安否種類パラメータｓｐ）と、グループ情報データベースＤ２における開示する位置情報の詳細度合い（第１詳細度パラメータｄｐ１、第２詳細度パラメータｄｐ２）に基づいて、決定される。
安否種類パラメータｓｐが０の使用者、すなわち、安否回答を受けている使用者について、当該使用者の位置情報は、第１詳細度パラメータｄｐ１に基づいて、平常時に開示する位置情報の詳細度合いで表示される。
図４、図１５、図１７、図２１は、グループ名称：田中家に属する使用者名称：花子の安否種類パラメータｓｐが０であり、位置情報が、平常時に開示する位置情報の詳細度合い（第１詳細度パラメータｄｐ１：１（粗い位置情報レベル）で表示される例を示す。
【００８８】
また、使用者ＩＤが同じでも、グループごとに開示する位置情報の詳細度合いを異なるものにすることが出来る。
本実施形態では、使用者ＩＤ：１１の使用者は、グループ名称：田中家の中では、使用者名称：パパで、第１詳細度パラメータｄｐ１に基づいて、平常時に中程度の位置情報（東京都港区）を表示し、グループ名称：実家の中では、使用者名称：太郎で、第１詳細度パラメータｄｐ１に基づいて、平常時に粗い位置情報（東京都）を表示する例を示す（図４，図５参照）。
【００８９】
安否種類パラメータｓｐ１が１の使用者、すなわち、安否回答操作をしていない使用者について、当該使用者の位置情報は、第２詳細度パラメータｄｐ２に基づいて、災害時に開示する位置情報の詳細度合いで表示される。
図９〜図１１、図２３は、グループ名称：田中家に属する使用者名称：花子の安否種類パラメータｓｐが１であり、位置情報が、災害時に開示する位置情報の詳細度合い（第２詳細度パラメータｄｐ２：３（細かい位置情報レベル）で表示される例を示す。
【００９０】
また、使用者マーク、使用者名称、位置情報のいずれかの近傍には、安否種類パラメータｓｐが１である（安否回答をしていない）か、安否種類パラメータｓｐが０である（安否回答をした）かのいずれか一方の場合に点灯し、他方の場合に消灯する第３マークｍａ３が設けられる。
本実施形態では、使用者マークの右上に、当該第３マークｍａ３として、安否種類パラメータが１である（安否回答をしていない）場合に点灯し、安否種類パラメータが０である（安否回答をした）場合に消灯するマーク（ひし形の内側に感嘆符を設けたマーク）が設けられる（図９〜図１１、図１５、図２３参照）。
【００９１】
第１使用者位置情報表示領域１０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の地図表示（不図示）に切り替えられる。
【００９２】
画面切替ボタン表示領域１０５には、第１画面Ｐ１の表示に切り替えるためのホームボタン１０５ａ、第３画面Ｐ３の表示に切り替えるための災害情報ボタン１０５ｂ、当該携帯端末の位置に近い避難所の一覧表示（不図示）に切り替えるための避難所ボタン１０５ｃ、グループ情報データベースＤ２の内容の編集などを操作画面表示（不図示）に切り替えるためのマイページボタン１０５ｄを有する。
【００９３】
第１画面Ｐ１（若しくは、第２画面Ｐ２〜第４画面Ｐ４のいずれか）が表示された状態で、携帯端末が、災害情報のうち第１災害情報を受信した場合には、当該表示画面上に、災害情報の割り込み表示が行われる（第１割り込み画面Ｐｉ１、図８参照）。
第１災害情報と、他の情報（第２災害情報、若しくはキャンセル情報）との判別は、位置情報サーバー３０側で行って、判別情報を含めて携帯端末に送信する形態であってもよいし、災害情報を受信した携帯端末側で当該災害情報が第１災害情報か否かを判別する形態であってもよい。
【００９４】
第１割り込み画面Ｐｉ１は、第２災害情報表示領域５０１を有する。
第２災害情報表示領域５０１には、直前に発生した地震に関する情報（地域、日時、最大震度、マグニチュード）が表示される。
第２災害情報表示領域５０１は、第１画面Ｐ１に設けられた第１災害情報表示領域１０１よりも大きい。
第２災害情報表示領域５０１には、ＯＫボタン５０１ａが設けられ、当該ＯＫボタン５０１ａがクリックされると、第１割り込み画面Ｐｉ１の割り込み表示が終了する。
第２災害情報表示領域５０１には、最大予測震度の数値を示す第１マークｍａ１が設けられ、第２災害情報表示領域５０１における第１マークｍａ１は、第１割り込み画面Ｐｉ１が表示されている間、当該画面に垂直で第１マークｍａ１の略中心を通る軸を中心に回転する。
【００９５】
第１割り込み画面Ｐｉ１の割り込み表示終了後の第１画面Ｐ１の表示は、第１災害情報表示領域１０１の下部（図９、図１１、図２３では、第１グループ名称表示領域１０３ｂの上に重畳する位置）で安否回答を促す第２割り込み画面Ｐｉ２の割り込み表示が行われる。
第１画面Ｐ１における第１災害情報表示領域１０１は、太線の枠を設けるなど、第３時間Ｔ３以外の間と異なった状態で表示される。
第１画面Ｐ１における使用者マークには、対応する使用者の安否種類パラメータｓｐが１から０に変わるまで、第３マークｍａ３が表示される。
第１画面Ｐ１における使用者の位置情報は、対応する使用者の安否種類パラメータｓｐが１から０に変わるまで、災害時に開示する位置情報の詳細度合い（第２詳細度パラメータｄｐ２）で表示される。
【００９６】
第２割り込み画面Ｐｉ２は、「無事を報告する」ボタン６０１と「メッセージを送信する」ボタン６０３を表示する（図９参照）。
【００９７】
「無事を報告する」ボタン６０１をクリックする第１操作が行われると、携帯端末は、第１操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する（図１４参照）。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【００９８】
「メッセージを送信する」ボタン６０３がクリックされると、第２割り込み画面Ｐｉ２は、「無事を報告する」ボタン６０１と「メッセージを送信する」ボタン６０３を表示する状態から、「無事を報告する」ボタン６０１よりも小さい「無事」ボタン６０２、第２メッセージ入力領域（文字メッセージを入力する領域）６０４、第２送信ボタン６０５、入力キー領域６０６、写真などの画像データを送信する第２画像データ送信操作ボタン６０７、及び録音した音声などの音声データを送信する第２音声データ送信操作ボタン６０８を表示する状態に変わる（図１１参照）。
【００９９】
入力キー領域６０６を操作して、第２メッセージ入力領域６０４に文字メッセージが入力され、その後に第２送信ボタン６０５がクリックされると、携帯端末は、当該メッセージを含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１００】
第２画像データ送信操作ボタン６０７がクリックされると、入力キー領域６０６の代わりに、携帯端末のカメラで撮影されたスルー画像や、既に携帯端末に記録された画像を、メッセージとして送信する対象として選択可能な状態で表示する画像データ表示領域６０９（図２３参照）が表示される。
当該画像データ表示領域６０９におけるスルー画像から静止画像の撮影や送信対象画像の選択の後に第２送信ボタン６０５がクリックされると、携帯端末は、当該メッセージ（画像）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１０１】
第２音声データ送信操作ボタン６０８がクリックされると、当該クリックがされている間、若しくは当該クリックがされてから第４時間Ｔ４（例えば、Ｔ４＝１０秒）の間、携帯端末のマイクで音声が録音される。
録音終了後に第２送信ボタン６０５がクリックされると、携帯端末は、当該メッセージ（音声）を含む第２操作が行われたことに関する情報と当該携帯端末の位置情報を位置情報サーバー３０に送信する。
位置情報サーバー３０は、これらの情報を送信した携帯端末の位置情報を更新し、且つ安否種類パラメータｓｐを１から０に変更する。
【０１０２】
さらに、位置情報サーバー３０は、当該携帯端末の使用者が属するグループに属する使用者の全員の携帯端末に対して、当該メッセージ（入力キー領域６０６の操作により入力された文字、第２画像データ送信操作ボタン６０７の操作により選択された画像、第２音声データ送信操作ボタン６０８の操作により録音された音声）を送信する。これにより、当該携帯端末の使用者の発言として、当該携帯端末の使用者が属するグループのグループチャットには当該メッセージが加えられる（図１２、図１３、図２６参照）。
当該携帯端末の使用者が複数のグループに属する場合には、当該複数のグループのグループチャットに当該メッセージが加えられる。
また、第２割り込み画面Ｐｉ２の割り込み表示は終了し、当該携帯端末の使用者に対応する第３マークｍａ３は消灯し、当該携帯端末の使用者に対応する使用者の位置情報は、平常時に開示する位置情報の詳細度合い（第１詳細度パラメータｄｐ１）で表示される（図１０参照）。
【０１０３】
なお、第１期間Ｔｅ１の間に、当該メッセージが送信された場合には、メッセージの送信時間を示す領域に、ＵＤＰを介して位置情報サーバー３０への送信が行われた旨を示す表記（例えば、「ＵＤＰ経由」）を表示するのが望ましい。
図１２、図１３は、第１期間Ｔｅ１の間に、ＵＤＰを介して、第５１携帯端末Ｍ５１から位置情報サーバー３０に、文字メッセージ「私は大丈夫ですよ。」に対応する文字データが２回送信され、２回とも位置情報サーバー３０が受信して、これらがグループチャットに加えられた状態を示す。
図２６は、第１期間Ｔｅ１の間に、ＵＤＰを介して、第５１携帯端末Ｍ５１から位置情報サーバー３０に、画像メッセージに対応する画像データが１回送信され、当該画像データの一部が欠落した状態で位置情報サーバー３０が受信して、これがグループチャットに加えられた状態を示す。
【０１０４】
メッセージ送信操作（第２操作）を１回行うことで、使用者が属する総てのグループのグループチャットにメッセージ（例えば、図１２、図１３に示すように、自分が大丈夫であることを示すメッセージや、図２６に示すように、携帯端末で取得した画像を含むメッセージ）を加えることが出来、グループに属する使用者全員に当該メッセージを伝えることが可能になる。
【０１０５】
当該携帯電話の使用者が属するグループに属する他の使用者の携帯端末において第１操作若しくは第２操作が行われると、当該他の使用者に対応する安否種類パラメータｓｐが１から０に変わり、第１画面Ｐ１における当該他の使用者の使用者マークに表示された第３マークｍａ３が消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる。
【０１０６】
例えば、使用者ＩＤ：１２、使用者名称：花子の第５２携帯端末Ｍ５２において、第１操作若しくは第２操作が行われると、位置情報データベースＤ１における安否種類パラメータｓｐが１から０に変更され、第１画面Ｐ１における使用者名称：花子に対応する使用者マークに表示された第３マークｍａ３が消灯し、平常時に開示する位置情報の詳細度合い（第１詳細度パラメータｄｐ１）で位置情報が表示される（図１５、図１６参照）。
【０１０７】
当該携帯端末の使用者が属するグループに属する他の使用者の携帯端末の総てにおいて第１操作若しくは第２操作が行われると、当該携帯端末の使用者に対応する第３時間Ｔ３が終了し、当該他の使用者に対応する安否種類パラメータｓｐが１から０に変わり、第１画面Ｐ１における当該他の使用者の使用者マークに表示された第１マークが消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる（図１７、図１８参照）。
また、第１災害情報表示領域１０１は、太線の枠が無い状態での表示に切り替えられる。
【０１０８】
また、後述する第４画面Ｐ４で使用する災害発生時の使用者ごとの位置情報表示のために、第３時間Ｔ３が始まった時点、第３時間Ｔ３が終了した時点、若しくはその間やその前後の所定の時点で位置情報データベースＤ１に記録された使用者ごとの位置情報を位置情報サーバー３０若しくは携帯端末が記録しておくのが望ましい。
【０１０９】
第１画面Ｐ１が表示された状態で、災害情報ボタン１０５ｂがクリックされると、過去に発生した災害情報を時系列に並べた第３画面Ｐ３の表示に切り替えられる（図１９、図２２参照）。
第３画面Ｐ３は、過去に発生した災害情報を時系列に並べた災害時系列表示領域３０１と画面切替ボタン表示領域１０５を有する。
災害時系列表示領域３０１は、地震に関する情報（地域、日時、最大震度、マグニチュード）が時系列に表示される。
災害時系列表示領域３０１のそれぞれの災害情報を示す領域には、第１災害情報と第２災害情報については災害の規模（最大予測震度の数値）を示し、キャンセル情報の場合はキャンセル情報であることを示す第１マークｍａ１が設けられる。
本実施形態では、第１マークｍａ１は、第１災害情報については白抜き文字で表示され、第２災害情報については黒文字で表示され、キャンセル情報についてはハッチングを施した背景色に黒文字で×印を付けたもので表示される。
また、第１災害情報に関連する第１マークｍａ１は暖色系（進出色系）の背景色を有し、第２災害情報に関連する第１マークｍａ１は寒色系（後退色系）の背景色を有する形態も考えられる。
災害時系列表示領域３０１の災害情報を示す領域であって、第１災害情報を示す領域がクリック（第３操作）されると、第４画面Ｐ４の表示に切り替えられる（図２０参照）。
【０１１０】
第３画面Ｐ３により、過去に生じた災害を時系列で視認出来るようになる。
【０１１１】
第４画面Ｐ４は、第３災害情報表示領域４０１、第３画面Ｐ３の表示に戻るための切替ボタン４０２、第２使用者位置情報表示領域４０３、画面切替ボタン表示領域１０５を有する。
第３災害情報表示領域４０１では、第３操作でクリックした第１災害情報を示す領域に対応する地震に関する情報（地域、日時、最大震度、マグニチュード）が表示される。
第３災害情報表示領域４０１には、第３操作でクリックした第１災害情報を示す領域に対応する災害の規模（地震の最大予測震度の数値）を示す第１マークｍａ１が設けられる。
切替ボタン４０２がクリックされると、第３画面Ｐ３の表示に切り替えられる（図１９参照）。
【０１１２】
第２使用者位置情報表示領域４０３には、当該携帯端末の使用者が属するグループごとに、グループマーク、グループ名称、所属する使用者に関する使用者マーク、使用者名称、位置情報、位置情報の取得日時が設けられる。
ここでいう位置情報は、第３操作でクリックした第１災害情報に対応した所定の時点で位置情報データベースＤ１に記録されたもの（第３時間Ｔ３が始まった時点など、第１災害情報が位置情報サーバー３０から送信された時点若しくは当該時点から第５時間Ｔ５以内に位置情報サーバー３０の位置情報データベースＤ１に記録されたもの）が用いられる。
本実施形態では、第１災害情報が位置情報サーバー３０から携帯端末に送信された時点に位置情報サーバー３０の位置情報データベースＤ１に記録されたものが、第２使用者位置情報表示領域４０３で表示する使用者の位置情報として用いられる。
【０１１３】
第２使用者位置情報表示領域４０３に表示される位置情報の詳細度合いは、グループ情報データベースＤ２における開示する位置情報の詳細度合い（第１詳細度パラメータｄｐ１若しくは第２詳細度パラメータｄｐ２）に基づいて、決定される。
本実施形態では、使用者の位置情報は、第１詳細度パラメータｄｐ１に基づいて、平常時に開示する位置情報の詳細度合いで表示される。
【０１１４】
第２使用者位置情報表示領域４０３で表示される使用者ごとの位置情報の近傍（位置情報と位置情報取得時間の間）には、第２マークｍａ２が設けられ、当該第２マークｍａ２がクリックされると、第２マークｍａ２に対応する使用者の位置情報の地図表示（不図示）に切り替えられる。
【０１１５】
第４画面Ｐ４により、使用者の位置情報であって、過去に生じた災害における発生した前後の時間帯のものを知ることが出来る。
【０１１６】
本実施形態では、第１画面Ｐ１、第２画面Ｐ２、第３画面Ｐ３、第４画面Ｐ４が切り替えて表示される形態を説明したが、２以上の画面が１つの表示画面上に並べて表示される形態であってもよい。
【０１１７】
なお、第１期間Ｔｅ１の間に携帯端末からＵＤＰを介して位置情報サーバー３０に送信される携帯端末情報（位置情報、文字データ、画像データ、音声データ）を構成する複数のパケットの１パケットあたりの大きさ（パケットサイズ）は、第２期間Ｔｅ２の間に携帯端末からＴＣＰを介して位置情報サーバー３０に送信される携帯端末情報を構成する複数のパケットの１パケットあたりの大きさ（パケットサイズ）よりも小さくするのが望ましい。
【０１１８】
例えば、第２期間Ｔｅ２の間に送信される携帯端末情報のパケットサイズは、ヘッダ部分を含めて約１５００バイトであるのに対して、第１期間Ｔｅ１の間に送信される携帯端末情報のパケットサイズは、ヘッダ部分を含めて１０００バイト以下（例えば、６４０バイト）に設定される（図２７、図２８参照）。
【０１１９】
第１期間Ｔｅ１の間に送信される携帯端末情報のパケットサイズは、予め決定した所定のサイズ（ここでは、６４０バイト）に設定される形態であってもよいし、携帯端末情報を送信する前に、携帯端末が位置情報サーバー３０と通信を行い、ルーティング経路上でＭＴＵ（Maximum Transmission Unit）が最も小さい物理ネットワーク媒体（イーサネット（登録商標）、ＦＤＤＩ（Fiber Distributed Data Interface）など）を特定し、当該最も小さい物理ネットワーク媒体のＭＴＵの値以下に当該パケットサイズを設定する形態であってもよい。
これにより、ルーティング経路上で、物理ネットワーク媒体のＭＴＵに合わせたＩＰフラグメンテーションが起きる可能性を低くすることが出来、ＩＰフラグメンテーションの際に生じるデータの欠落の可能性を低くすることが出来る。
【０１２０】
また、第１期間Ｔｅ１の間に携帯端末からＵＤＰを介して位置情報サーバー３０に送信される携帯端末情報を構成する複数のパケットは、１秒以下の所定時間（数ミリ秒、図２８では、１０ｍ秒）の時間間隔を空けて送信されるのが望ましい。
具体的には、携帯端末は、携帯端末情報を構成する１つのパケットの送信が完了してから所定時間経過後に次のパケットの送信を行う。
所定時間の時間間隔を空けてパケットの送信を行うことにより、時間間隔を空けずにパケットの送信を連続的に行った形態に比べて、データの欠落（位置情報サーバー３０に到達出来ないパケットの数）を少なくすることが可能になる。
【０１２１】
画像データについては、さらに、色ごとに異なるパケットに分けた状態で、且つ画素列（若しくは画素行）単位のパケットで、且つ上述のパケットサイズで、送信が行われるのが望ましい。
画像データにおけるある画素列（若しくは画素行）のある色（例えば、Ｒ）のデータを含むパケットが位置情報サーバー３０に到達出来なかった場合には、位置情報サーバー３０は、当該到達出来なかったパケットが欠落した状態（すなわち、当該ある画素列の当該ある色が欠落した状態の画像データを生成する。
これにより、仮にある画素列における一つの色（例えば、Ｒ）のパケットが位置情報サーバー３０に到達出来なかったとしても、当該ある画素列における他の色（ここでは、ＧとＢ）のパケットが位置情報サーバー３０に到達していれば、総ての色のパケットが位置情報サーバー３０に到達出来ない場合に比べて、画像を識別しやすくなる。
【０１２２】
また、ＵＤＰを介して送信される画像データがＲ、Ｇ、Ｂの３色で構成される場合で、当該画像データに対応する画像の表示は、白黒で行われる形態であってもよい。
例えば、第１期間Ｔｅ１の間に、第５１携帯端末Ｍ５１（第１携帯端末）からＵＤＰを介して位置情報サーバー３０に送信された画像データに対応する画像は、第５２携帯端末Ｍ５２（第２携帯端末）などにおいて、白黒で表示される。
色情報が無い状態の白黒で表示することにより、いくつかの色のパケットが位置情報サーバー３０に到達出来なかった場合でも、識別しやすい画像を表示させることが可能になる。
【０１２３】
また、音声データについては、さらに、時間帯で異なるパケットに分けた状態で、且つ上述のパケットサイズで、送信が行われるのが望ましい。
音声データにおけるある時間帯のデータを含むパケットが位置情報サーバー３０に到達出来なかった場合には、位置情報サーバー３０は、前後の時間帯のデータに含まれる時間情報から、到達出来なかったパケットに対応する時間帯に、無音の情報を設定し、当該時間帯は無音の状態で再生されるように音声データを生成する。
音声データにおけるある時間帯のデータを含むパケットが位置情報サーバー３０に到達出来なかったとしても、他の時間帯のデータを含むパケットが位置情報サーバー３０に到達出来れば、到達したパケットと無音の情報とで生成された音声データを再生することが可能になり、違和感の少ない音声を他の携帯端末に届けることが可能になる。
【符号の説明】
【０１２４】
１  位置情報出力システム
２０  情報源発信部
３０  位置情報サーバー
３１  通信部
３３  記録部
３５  制御部
７０  入出力端末
１０１  第１災害情報表示領域
１０１ａ  「キャンセル情報であること」を示す文字表示領域
１０３  第１使用者位置情報表示領域
１０３ａ  位置通知ボタン
１０３ｂ  第１グループ名称表示領域
１０５  画面切替ボタン表示領域
１０５ａ  ホームボタン
１０５ｂ  災害情報ボタン
１０５ｃ  避難所ボタン
１０５ｄ  マイページボタン
２０１  戻るボタン
２０３  グループチャット表示領域
２０３ａ  第２グループ名称表示領域
２０３ｂ  チャット表示領域
２０３ｂ１  第１メッセージ入力領域
２０３ｂ２  第１送信ボタン
２０３ｂ３  第１画像データ送信操作ボタン
２０３ｂ４  第１音声データ送信操作ボタン
３０１  災害時系列表示領域
４０１  第３災害情報表示領域
４０２  切替ボタン
４０３  第２使用者位置情報表示領域
５０１  第２災害情報表示領域
５０１ａ  ＯＫボタン
６０１  「無事を報告する」ボタン
６０２  「無事」ボタン
６０３  「メッセージを送信する」ボタン
６０４  第２メッセージ入力領域
６０５  第２送信ボタン
６０６  入力キー領域
６０７  第２画像データ送信操作ボタン
６０８  第２音声データ送信操作ボタン
６０９  画像データ表示領域
Ｄ１  位置情報データベース
Ｄ２  グループ情報データベース
ｄｐ１、ｄｐ２  第１詳細度パラメータ、第２詳細度パラメータ
Ｍ５１〜Ｍ５６  第５１携帯端末〜第５６携帯端末
ｍａ１〜ｍａ３  第１マーク〜第３マーク
Ｐ１〜Ｐ６  第１画面〜第４画面
Ｐｉ１、Ｐｉ２  第１割り込み画面、第２割り込み画面
ｓｐ  安否種類パラメータ
Ｔ１〜Ｔ５  第１時間〜第５時間
Ｔｅ１、Ｔｅ２  第１期間、第２期間
【図１】
2019216473.tif 000003
【図２】
2019216473.tif 000004
【図３】
2019216473.tif 000005
【図４】
2019216473.tif 000006
【図５】
2019216473.tif 000007
【図６】
2019216473.tif 000008
【図７】
2019216473.tif 000009
【図８】
2019216473.tif 000010
【図９】
2019216473.tif 000011
【図１０】
2019216473.tif 000012
【図１１】
2019216473.tif 000013
【図１２】
2019216473.tif 000014
【図１３】
2019216473.tif 000015
【図１４】
2019216473.tif 000016
【図１５】
2019216473.tif 000017
【図１６】
2019216473.tif 000018
【図１７】
2019216473.tif 000019
【図１８】
2019216473.tif 000020
【図１９】
2019216473.tif 000021
【図２０】
2019216473.tif 000022
【図２１】
2019216473.tif 000023
【図２２】
2019216473.tif 000024
【図２３】
2019216473.tif 000025
【図２４】
2019216473.tif 000026
【図２５】
2019216473.tif 000027
【図２６】
2019216473.tif 000028
【図２７】
2019216473.tif 000029
【図２８】
2019216473.tif 000030
【手続補正書】
【提出日】令和1年9月13日(2019.9.13)
【手続補正１】
【補正対象書類名】明細書
【補正対象項目名】０００１
【補正方法】変更
【補正の内容】
【０００１】
本発明は、携帯端末からサーバーを介して当該携帯端末と別の携帯端末に情報を送信する情報送信システムなどに関する。
【手続補正２】
【補正対象書類名】明細書
【補正対象項目名】０００４
【補正方法】変更
【補正の内容】
【０００４】
しかしながら、緊急時には通信量が多くなって、情報の携帯端末からサーバーへの送信が上手く行えない事態が起こりえる。
【手続補正３】
【補正対象書類名】明細書
【補正対象項目名】０００５
【補正方法】変更
【補正の内容】
【０００５】
したがって本発明の目的は、緊急時などでも携帯端末からサーバーへの情報送信が上手く行える情報送信システムなどを提供することである。
【手続補正４】
【補正対象書類名】明細書
【補正対象項目名】０００６
【補正方法】変更
【補正の内容】
【０００６】
本発明に係る情報送信システムは、携帯端末情報を送信する第１携帯端末と、第１携帯端末から送信された携帯端末情報を第２携帯端末に送信するサーバーとを備える。サーバーは、特定の情報を第１携帯端末や第２携帯端末に送信する。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータを構成する複数のパケットの１パケットあたりの大きさは、第２期間の間に第１携帯端末からサーバーに送信されるデータを構成する複数のパケットの１パケットあたりの大きさよりも小さい。
【手続補正５】
【補正対象書類名】明細書
【補正対象項目名】０００７
【補正方法】変更
【補正の内容】
【０００７】
好ましくは、携帯端末情報は、画像データと音声データの少なくとも一方を含む。
【手続補正６】
【補正対象書類名】明細書
【補正対象項目名】０００８
【補正方法】変更
【補正の内容】
【０００８】
さらに好ましくは、特定の情報は、規模が所定の規模以上の災害に関する情報である。
【手続補正７】
【補正対象書類名】明細書
【補正対象項目名】０００９
【補正方法】変更
【補正の内容】
【０００９】
さらに好ましくは、第１期間の間に第１携帯端末からサーバーに送信される画像データや音声データを構成する複数のパケットは、所定時間の時間間隔を空けて送信される。
【手続補正８】
【補正対象書類名】明細書
【補正対象項目名】００１０
【補正方法】変更
【補正の内容】
【００１０】
さらに好ましくは、第１期間の間に第１携帯端末からサーバーに送信される画像データは、色ごとに異なるパケットに分けた状態で、送信される。
【手続補正９】
【補正対象書類名】明細書
【補正対象項目名】００１１
【補正方法】変更
【補正の内容】
【００１１】
さらに好ましくは、第１期間の間に第１携帯端末からサーバーに送信された画像データに対応する画像は、第２携帯端末において白黒で表示される。
【手続補正１０】
【補正対象書類名】明細書
【補正対象項目名】００１２
【補正方法】変更
【補正の内容】
【００１２】
また、好ましくは、第１期間は、サーバーが特定の情報を第１携帯端末や第２携帯端末に送信した時点から、所定の時間が経過するまで、若しくはサーバーが特定の情報に対応するキャンセル情報を第１携帯端末や第２携帯端末に送信するまでの間である。
【手続補正１１】
【補正対象書類名】明細書
【補正対象項目名】００１３
【補正方法】変更
【補正の内容】
【００１３】
また、好ましくは、第２携帯端末は、ＵＤＰを介して、サーバーが第１携帯端末から受信した携帯端末情報について、ＵＤＰを介してサーバーが受信したものである旨を表記した状態で、表示する。
【手続補正１２】
【補正対象書類名】明細書
【補正対象項目名】００１４
【補正方法】変更
【補正の内容】
【００１４】
本発明に係る情報送信方法は、第１携帯端末からサーバーに携帯端末情報を送信する第１ステップと、第１携帯端末から送信された携帯端末情報をサーバーから第２携帯端末に送信する第２ステップとを備える。サーバーは、特定の情報を第１携帯端末や第２携帯端末に送信する。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータを構成する複数のパケットの１パケットあたりの大きさは、第２期間の間に第１携帯端末からサーバーに送信されるデータを構成する複数のパケットの１パケットあたりの大きさよりも小さい。
【手続補正１３】
【補正対象書類名】明細書
【補正対象項目名】００１５
【補正方法】変更
【補正の内容】
【００１５】
本発明に係る情報送信プログラムは、第１携帯端末からサーバーに携帯端末情報を送信する第１ステップと、第１携帯端末から送信された携帯端末情報をサーバーから第２携帯端末に送信させる第２ステップとを実行する。サーバーは、特定の情報を第１携帯端末や第２携帯端末に送信する。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータを構成する複数のパケットの１パケットあたりの大きさは、第２期間の間に第１携帯端末からサーバーに送信されるデータを構成する複数のパケットの１パケットあたりの大きさよりも小さい。
【手続補正１４】
【補正対象書類名】明細書
【補正対象項目名】００１６
【補正方法】変更
【補正の内容】
【００１６】
本発明に係るサーバーは、第１携帯端末から送信された携帯端末情報を第２携帯端末に送信する。サーバーは、特定の情報を第１携帯端末や第２携帯端末に送信する。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータを構成する複数のパケットの１パケットあたりの大きさは、第２期間の間に第１携帯端末からサーバーに送信されるデータを構成する複数のパケットの１パケットあたりの大きさよりも小さい。
【手続補正１５】
【補正対象書類名】明細書
【補正対象項目名】００１７
【補正方法】変更
【補正の内容】
【００１７】
本発明に係る携帯端末は、携帯端末情報をサーバーに送信する。サーバーは、携帯端末情報を別の携帯端末に送信する。サーバーは、特定の情報を携帯端末や別の携帯端末に送信する。サーバーが特定の情報を送信してから第１期間の間、携帯端末は、ＵＤＰ（User Datagram Protocol）を介して、携帯端末情報をサーバーに送信する。第１期間が終了してから次の第１期間が開始されるまでの期間を示す第２期間の間、携帯端末は、ＴＣＰ（Transmission Control Protocol）を介して、携帯端末情報をサーバーに送信する。携帯端末情報として、第１期間の間に第１携帯端末からサーバーに送信されるデータを構成する複数のパケットの１パケットあたりの大きさは、第２期間の間に第１携帯端末からサーバーに送信されるデータを構成する複数のパケットの１パケットあたりの大きさよりも小さい。
【手続補正１６】
【補正対象書類名】明細書
【補正対象項目名】００１８
【補正方法】変更
【補正の内容】
【００１８】
本発明に係る情報送信プログラムは、第１携帯端末からサーバーに携帯端末情報を送信する第１ステップと、第１携帯端末から送信された携帯端末情報をサーバーから第２携帯端末に送信させる第２ステップとを実行する。サーバーは、特定の情報を第１携帯端末や第２携帯端末に送信する。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータを構成する複数のパケットは、所定時間の時間間隔を空けて送信される。
【手続補正１７】
【補正対象書類名】明細書
【補正対象項目名】００１９
【補正方法】変更
【補正の内容】
【００１９】
本発明に係る情報送信プログラムは、第１携帯端末からサーバーに携帯端末情報を送信する第１ステップと、第１携帯端末から送信された携帯端末情報をサーバーから第２携帯端末に送信させる第２ステップとを実行する。サーバーは、特定の情報を第１携帯端末や第２携帯端末に送信するもの。サーバーが特定の情報を送信してから第１期間の間、サーバーは、ＵＤＰ（User Datagram Protocol）を介して、携帯端末情報を受信する。第１期間が終了してから次の第１期間が開始されるまでの期間を示す第２期間の間、サーバーは、ＴＣＰ（Transmission Control Protocol）を介して、携帯端末情報を受信する。携帯端末情報として、第１期間の間に第１携帯端末からサーバーに送信されるデータは、色ごとに異なるパケットに分けた状態で、送信される。
【手続補正１８】
【補正対象書類名】明細書
【補正対象項目名】００２０
【補正方法】変更
【補正の内容】
【００２０】
以上のように本発明によれば、緊急時などでも携帯端末からサーバーへの情報送信が上手く行える情報送信システムなどを提供することができる。
【手続補正１９】
【補正対象書類名】明細書
【補正対象項目名】０１０７
【補正方法】変更
【補正の内容】
【０１０７】
当該携帯端末の使用者が属するグループに属する他の使用者の携帯端末の総てにおいて第１操作若しくは第２操作が行われると、当該携帯端末の使用者に対応する第３時間Ｔ３が終了し、当該他の使用者に対応する安否種類パラメータｓｐが１から０に変わり、第１画面Ｐ１における当該他の使用者の使用者マークに表示された第３マークｍａ３が消灯し、位置情報は、災害時に開示する位置情報の詳細度合い（第２詳細度パラメータｄｐ２）での表示から、平常時に開示する位置情報の詳細度合い（第１詳細度パラメータｄｐ１）での表示に切り替えられる（図１７、図１８参照）。
また、第１災害情報表示領域１０１は、太線の枠が無い状態での表示に切り替えられる。